(57)【要約】【課題】  ホチキスの金具を使用することなく紙と段ボールを綴じる合理的な方法はないものか。【解決手段】  書類綴じホチキスの場合、二股に造形された本体内側先端部双方に向かい合うように歯型状部品が取り付けられている。歯型の形は台形であり、平行である短辺と長辺のうち短辺は切らずに他三辺を切り、そのまま向こう側に折り込むことで書類を複数枚綴じることができる。【選択図】図１
2010089246.tif 000002
【特許請求の範囲】
【請求項１】
歯型対称式において、二股に造形された本体内側先端部双方に向かい合うように歯型状部品が取り付けられている。歯型の形は台形であり、平行である短辺と長辺のうち短辺は切らずに他三辺を切り、そのまま向こう側に折り込むことができる。対称式歯型状部品の歯型の並び方は一列目と二列目を設け一列目と二列目の中心から対称の形をし、一列目と二列目の内側を切らずに外側を切り込む。一列目左を凸としたなら一列目中央を凹とし一列目右を凸とする。さらに二列目左は凹となり二列目中央は凸に二列目右は凹となる。ひとつの歯型状部品を二股に造形された本体内側先端部双方に向きを反対に取り付けることによりかみ合うことができる。用途により歯型の数を増減さらに歯型の大きさを変えることにより、書類綴じホチキスまたは厚紙綴じホチキスまたは段ボール綴じホチキスなど特殊な切り込みが可能となることを特徴とする紙と段ボールを綴じるホチキスの歯型とその並び方。
【請求項２】
歯型交互式において、二股に造形された本体内側先端部双方に向かい合うように歯型状部品が取り付けられている。歯型の形は台形であり、平行である短辺と長辺のうち短辺は切らずに他三辺を切り、そのまま向こう側に折り込むことができる。交互式歯型状部品の歯型の並び方は一列目を設け一列目左と一列目右は歯型の向きを交互に置き換えた形をし、一列目左を凸としたなら一列目右は凹となる。ひとつの歯型状部品を二股に造形された本体内側先端部双方に向きを反対に取り付けることによりかみ合うことができる。用途により歯型の数を増減さらに歯型の大きさを変え、二列型、三列型とすることにより、書類綴じホチキスまたは厚紙綴じホチキスまたは段ボール綴じホチキスなど特殊な切り込みが可能となることを特徴とする請求項１記載の紙と段ボールを綴じるホチキスの歯型とその並び方。
【発明の詳細な説明】
【技術分野】
【０００１】  本発明はホチキスの金具を使用しない綴じ具の方法に関する。
【背景技術】
【０００２】  従来の技術で、より優れた技術は幾つか存在する（特許文献１参照）。
【特許文献１】  特開平５−２２９２７９号公報（図２）
【発明が解決しようとする課題】
【０００３】  金具を使わず紙と段ボールを綴じるホチキスを開発する。
【課題を解決するための手段】
【０００４】  上記の目的を達成する為、本発明の、紙と段ボールを綴じるホチキスの歯型とその並び方では、歯型の並び方について歯型対称式と歯型交互式のふたつの方式が考えられ、歯型対称式において、二股に造形された本体内側先端部双方に向かい合うように歯型状部品が取り付けられている。歯型の形は台形であり、平行である短辺と長辺のうち短辺は切らずに他三辺を切り、そのまま向こう側に折り込むことができる。対称式歯型状部品の歯型の並び方は一列目と二列目を設け一列目と二列目の中心から対称の形をし、一列目と二列目の内側を切らずに外側を切り込む。一列目左を凸としたなら一列目中央を凹とし一列目右を凸とする。さらに二列目左は凹となり二列目中央は凸に二列目右は凹となる。ひとつの歯型状部品を二股に造形された本体内側先端部双方に向きを反対に取り付けることによりかみ合うことができる。用途により歯型の数を増減さらに歯型の大きさを変えることにより、書類綴じホチキスまたは厚紙綴じホチキスまたは段ボール綴じホチキスなど特殊な切り込みが可能となることを特徴とする。
【０００５】  また本発明の、紙と段ボールを綴じるホチキスの歯型とその並び方では、歯型状部品の材料に金属またはファインセラミックスなどが適当であり、二股に造形された本体には金属製または木製またはプラスチック製が適当である。
【０００６】  本発明の、紙と段ボールを綴じるホチキスの歯型とその並び方では、そのひとつひとつの歯型の刃の大きさは、縦、横、高さをそれぞれ０・０１ｍｍ〜５０００ｍｍとし、事務用品に使用する書類綴じホチキスとしては１ｍｍ〜２ｍｍ前後が適当であり、段ボール綴じホチキスとして使用する場合は１０ｍｍ〜２０ｍｍ前後が適当であり、さらに産業上１０００ｍｍ以上の歯型を必要とする場合も考えられる。
【０００７】  本発明の、紙と段ボールを綴じるホチキスの歯型とその並び方では、本体上下分割式が考えられ、歯型状部品も一列目と二列目が分割式となることもある、さらに歯型の刃ひとつひとつも分割式となる場合もありうる。段ボール綴じホチキスは持ち運び簡易型とキャスター付き足踏み式移動型と全自動機械式据え付け型が主流となる。
【０００８】  本発明の、紙と段ボールを綴じるホチキスの歯型とその並び方では、歯型交互式において、二股に造形された本体内側先端部双方に向かい合うように歯型状部品が取り付けられている。歯型の形は台形であり、平行である短辺と長辺のうち短辺は切らずに他三辺を切り、そのまま向こう側に折り込むことができる。交互式歯型状部品の歯型の並び方は一列目を設け一列目左と一列目右は歯型の向きを交互に置き換えた形をし、一列目左を凸としたなら一列目右は凹となる。ひとつの歯型状部品を二股に造形された本体内側先端部双方に向きを反対に取り付けることによりかみ合うことができる。用途により歯型の数を増減さらに歯型の大きさを変え、二列型、三列型とすることにより、書類綴じホチキスまたは厚紙綴じホチキスまたは段ボール綴じホチキスなど特殊な切り込みが可能となる。
【発明を実施するための最良の形態】
【０００９】  図１、図２、図３、図４、図５、図６は本発明の、紙と段ボールを綴じるホチキスの歯型とその並び方の好適な実施の形態を示した一つの例である。【００１０】  図１は書類綴じホチキスとして用いた場合の好適な実施の形を示し、二股に造形された本体上部内側８に対称式歯型状部品７を図３の状態で取り付け、本体下部内側９に対称式歯型状部品７を図４の状態で取り付けた簡単な構造となっている。【００１１】  図２は足踏み式移動型段ボール綴じホチキスとして用いる場合の好適な実施の形態を示し、キャスター付となっている。【００１２】  図３は歯型対称式において、書類綴じホチキスの本体上部内側８の先端に取り付けられた対称式歯型状部品７の歯型とその並び方を示し、一列目と二列目を設け、一列目と二列目の中心から対称の形をし、一列目と二列目の内側を切らずに外側を切り込む。対称式一列目左１を凸としたなら対称式一列目中央２を凹とし対称式一列目右３を凸とする。さらに対称式二列目左４は凹となり対称式二列目中央５は凸に対称式二列目右６は凹となる。【００１３】  図４は歯型対称式において、書類綴じホチキスの本体下部内側９の先端に取り付けられた対称式歯型状部品７の歯型とその並び方を示し、図３に示された対称式歯型状部品７を反対に取り付けた状態を表している。【００１４】  図５は歯型交互式において、一列型を用いた書類綴じホチキスの本体上部内側８の先端に取り付けられた交互式歯型状部品１０の歯型とその並び方を示し、一列目を設け一列目左と一列目右は歯型の向きを交互に置き換えた形をし、交互式一列目左２０を凸としたなら交互式一列目右２１を凹とする。【００１５】  図６は歯型交互式において、一列型を用いた書類綴じホチキスの本体下部内側９の先端に取り付けられた交互式歯型状部品１０の歯型とその並び方を示し、図５に示された交互式歯型状部品１０を反対に取り付けた状態を表している。
【発明の効果】
【００１６】  以上説明したように、紙と段ボールを綴じるホチキスの歯型とその並び方を用いることで、金具を使用することなく紙と段ボールを綴じることができ、リサイクル過程のコストダウンにもつながり、社会全体として環境に配慮した産業の発展に貢献することができる。
【図面の簡単な説明】
【図１】本発明の、紙と段ボールを綴じるホチキスの歯型とその並び方の、書類綴じホチキスの立体図である。
【図２】本発明の、紙と段ボールを綴じるホチキスの歯型とその並び方の、キャスター付き足踏み式移動型段ボール綴じホチキスの立体図である。
【図３】本発明の、紙と段ボールを綴じるホチキスの歯型とその並び方の、歯型対称式書類綴じホチキスの本体上部内側図である。
【図４】本発明の、紙と段ボールを綴じるホチキスの歯型とその並び方の、歯型対称式書類綴じホチキスの本体下部内側図である。
【図５】本発明の、紙と段ボールを綴じるホチキスの歯型とその並び方の、歯型交互式一列型の本体上部内側図である。
【図６】本発明の、紙と段ボールを綴じるホチキスの歯型とその並び方の、歯型交互式一列型の本体下部内側図である。
【符号の説明】
１    対称式一列目左
２    対称式一列目中央
３    対称式一列目右
４    対称式二列目左
５    対称式二列目中央
６    対称式二列目右
７    対称式歯型状部品
８    本体上部内側
９    本体下部内側
１０  交互式歯型状部品
２０  交互式一列目左
２１  交互式一列目右
【図１】
2010089246.tif 000003
【図２】
2010089246.tif 000004
【図３】
2010089246.tif 000005
【図４】
2010089246.tif 000006
【図５】
2010089246.tif 000007
【図６】
2010089246.tif 000008